(57)【要約】  【課題】  犬を中心としたペット用携帯トイレでは、散歩時の排泄糞を回収、処理する方法として空中採取用と地上採取用が考えられているが、両方兼用のトイレ器具は見当たらない。【解決手段】片手で操作ができ、空中で採取する事も、地面に落ちた糞を簡単に採取収納することもできる上扉、中扉、下扉の三扉構造と手元制御でのワンタッチ開閉ができる保管袋を構成とした多機能のペット用携帯トイレを提供する。【選択図】    図１
2014161303.tif 000002
【特許請求の範囲】
【請求項１】
基台となる板の片側に四角い環状の型枠と、もう一方の一端に手持ち部分としての取手を設け、その型枠の内側に空中採取用の糞を一時留め置きするための中扉をヒンジにより固定し、中扉の動作により糞を取り入れ保管するための保持保管袋を型枠に固定し、更に基台に地上採取用の上扉と保持保管袋の底部を引き広げるための下扉をヒンジにより固定した構造を特徴とするペット用携帯トイレ。
【請求項２】
前記保持保管袋の底部に周回された紐を取手部分近傍まで敷設し、指による紐操作で、保持保管袋底部を緊張状態にしたり開放状態にしたりすることができる構造を特徴とした請求項１に記載のペット用携帯トイレ。
【発明の詳細な説明】
【技術分野】
【０００１】
本発明はペットの外出時の糞の採取と、処理に関する。
【背景技術】
【０００２】
従来、ペット（本件に於いては犬を指す）の糞の採取処理については、糞が地面に落ちる前と、地面に落ちてからとの方法しかなく、地面に落ちた場合、スコップでその場に穴を掘って糞を埋めたり、遠くに投げてしまったり、糞の上に紙等を被せ、包んで持ち帰ったりなど直接糞に触れる事はないが感触はかなり悪いものである。また、採取する事が前提であれば使用すべき道具や器具、備品等は必ず持たなくてはならないのだが、何も持たない人は採取をしない事を証している。
【０００３】
採取処理はしなくてはならないのだが、ファッション的な快楽とは違い排泄はネガティブであり、社会や人目を無視し、手提げバッグ等を持ち、あたかも処理をしているかのようにカモフラージュしている姿さえも見受けられ、採取処理がいかに面倒でネガティブであることなのかを象徴している。排泄に関しては意識の問題が大半であり、ファッション等の快楽と違い、排泄は介護にも似たネガティブである為、誰しもが見なくて済むものなら見たくなく、触れなくて済むものなら、触れたくないと思いながら採取しているのが現状である。ポジティブである愛玩や癒しには快楽の為手も金もかけるが、排泄は逆に見ない、見せない、の意識が働く。
【０００４】
そういった不心得者の所業は別として、実際糞を採取するとなると、スコップ等ですくい上げ、ビニール袋等に保管をして持ち帰り、ビニール袋ごと破棄したり、糞が落ちる前に新聞紙等を広げて下に敷き、その上に糞をさせ、それを包んでビニール袋や手提げバッグ等に入れて持ち帰るなど、種々様々である。
ただ、本質的には落ちてから採るか、落ちる前に採るかの二通りであり、そのための器具、備品が技術開示、商品化されている。その一つとして少しでも便利にと空中採取に特定されるが、柄の付いたスティック状の先端に用便器を設け、そこに用便袋をセットして使用するものも開示されている（例えば、特許文献１参照。）
【先行技術文献】
【特許文献】
【０００５】
【特許文献１】特開２００７−３０６８２７号公報
【発明の概要】
【発明が解決しようとする課題】
【０００６】
上記先行技術文献記載の携帯トイレは、糞の空中採取に趣をおいている為、移動中においても用便袋が外れない様、押さえたり、差し込んだり、用便袋を取り付けること事態が大変である。取り外しにおいても同様で、糞を採る事のみが重点になっていることから、採取した糞を保管する為の別容器も必要になる。保管されている糞の最終処理の方法も、その都度用便袋の取り外しで行うことになり、これも面倒で大変である。しかも地上にしてしまった糞はこの器具では簡単に採取をする事は出来ず、大変な思いで採取することになり、挙句の果てには放置をしてしまうことにもなりかねないのである。
【０００７】
大型犬は、空中採取において。腰が高い為、器具が股間下に入り易く、器具内に直接排便する事が出来るが、小型犬は腰が低い為、器具が入りにくく、場合によっては器具が入らない。器具の体積、容積が小さければ糞の保管量はおのずと少量になるが、一度の外出での排泄は一回とは限らず、それ以上であれば器具内の用便袋は毎回の交換が必要となる。
【０００８】
用便袋内に採取した糞を用便袋ごと水洗トイレ等に流すには、用便袋は水溶性である事が条件であるが、その場合糞の水分で用便袋が溶解してしまい、水溶性の用便袋を保護する為の容器が必須であり、水溶性の用便袋に糞を直接入れる事は難しい。用便袋が水溶性でなければ別容器に移し替えて保管をし、ゴミとしての廃棄しかなく、水洗トイレには流せない。
【０００９】
一方地面上にされた糞の場合、空中採取用器具では簡単に採取する事は出来ず、その時には採取を無視する事態が起こり得る。これを防ぐ為、ペットの排泄体勢に先駆けて、リードを持つ手と、器具を持つ手と、予め畳んでおいた紙等を広げる両手とで、地面上に紙等を広げて敷き、その上に糞を排泄し、終了したらそれを手で包み、更なる別容器に移して保管をする事で何とか採取はできるが、廃棄においては、それを手で取り出し、ゴミとして処理をすることになる。これは大変面倒な事であり、これを繰り返している内に何かの理由（雨等）で、一度でも手を抜けば、結果として僅かでも公害をもたらしている事に繋がる。
【００１０】
同一器具で空中採取、地上採取が出来ず、両方の器具を持つ事も困難であり、排泄を地面上にしてしまった場合、これを特許文献１記載にあるような携帯トイレでは簡単に採取し処理をする事は不可能である。また、同時に複数のペットの外出時においては、空中採取をしている最中に、他のペットが地上に排泄をしてしまう場合もあり、これも同時に採取する事は困難である。
【００１１】
本発明は、この様な従来の構成が有していた問題を解決しようとするものであり、同一器具で空中採取、地上採取ができることを第一義的な特徴とし、加えて片手での操作を可能とした携帯トイレであり、以下にその構造、手段について説明する。
【課題を解決するための手段】
【００１２】
携帯トイレの中心となる部材として基台としての板を配置し、その片側に窓枠のように内側がオープンになっている木枠を型枠として取り付け、更にその基台の反対側の一端に使用者が手で握ることができるような手持ち部分である取手を設け、その型枠内側には空中採取用の糞を一時留め置きするための中扉をヒンジにより固定されている。この中扉構造はヒンジを支点とし動作することができ、手持ち部分近辺での操作により紐を介して開閉する機構となっている。この型枠を水平にして中扉上に糞を留め置きし、中扉を開放することにより、中扉上に留め置きされた糞を垂直方向に落下せしめることができる。
また、この型枠には落下した糞を一時的に保管するための保持保管袋が型枠に沿って取り付けられており、中扉を閉塞することで落下した糞は中扉部分から外部へ逆流しない構造となっている。
【００１３】
またこの中心となっている基台の両面にヒンジにより二枚の板状の扉が取り付けられており、それぞれ上扉、下扉と称し、ヒンジにより型枠と並行になることもでき、型枠とある程度の角度（例えば４５度）にすることもできるようになっている。これは糞採取の作業をする時に角度を開いて行い、普段の作業を行わない時には平行にして全体の大きさを最小限にしようというものである。
上扉と下扉の役割としては、上扉はトイレ全体を横にして地上での糞を一時保管袋へ誘導するために使い、下扉は保持保管袋の底部を引き広げ、保持保管袋を立体形状にすることで内容量を確保するためのものである。（請求項１）
【００１４】
更に、保持保管袋にはその後の処理をたやすくするための工夫も考えられており、保持保管袋の底部を開放してその端に紐を通すことにより、下扉を介して紐を引いたり、緩めたりすることで保持保管袋の底部を紐操作により開閉できる構造になっている。これは手で直接糞に触れることなく袋外部へ出し最終処理するためのものである。（請求項２）
【発明の効果】
【００１５】
本発明は、紙が水溶性であるか否かに関係無く、市販の紙をそれ以上加工する事も無く、そのまま使用し、大小の犬に関係なく全ての犬に対応出来る機構も備え、空中採取はもちろん、地面上にされた糞の採取、廃棄迄、同一の器具で簡単に採取処理を行える利点がある。
【図面の簡単な説明】
【００１６】
【図１】本発明の器具の上扉、下扉を解放した状態を示す全体斜視図
【図２】本発明の器具の折り畳み状態の全体斜視図
【図３】本発明の器具の空中採取から廃棄までの流れをａ〜ｄで示す側面図。
【図４】本発明の横採取の形態を示す斜視図である。
【図５】発明の横採取（側位）の流れを示す側面図。
【図６】本発明の他部分を省略した中扉の開閉を示す斜視部分図
【図７】本発明の中扉に装着の保持保管袋示す（側面図）ａ：緊張状態  ｂ：開放状態
【発明を実施するための形態】
【００１７】
本発明の実施する為の形態を説明するに当たり、先ずその使用方法について以下に述べる。最も簡単な採取法としての空中採取は、手で持つ器具を水平にしてそのままペットの股間下に位置するだけで、後は排泄をするのみで良い。股間の低い小型犬の空中採取方法は、保持保管袋を地面上に置くだけで折り畳まれる様に最小限に縮小され、簡単に股間下に入る。地面上に排泄をしてしまった場合は、同器具の向きを９０度に変え、上扉を使ってほうきで掃く要領で採取が可能であり、採取された糞は同器具に設置された保持保管袋に保管される。その後の散歩終了後の処理については保持保管袋に一時保管された糞を保持保管袋底部の紐を緩めることにより外へ排出され、採取から最終廃棄に至る迄全てが簡単に終了する。
【００１８】
更に本発明の携帯トイレ器具について以下に詳細に述べる。先ず空中採取での使用方法についてであるが、器具使用者は、通常閉鎖されている上扉を開け、保持保管袋の開口上部に設置された紙と糞を乗せる為の中扉を露出し、その上に紙を乗せるだけで空中採取での排泄準備は完了する。その後、その紙の上に糞は排泄され、排泄終了迄その場に留め置き、その中扉をワンタッチで解放すれば、紙と共に糞は包まれた状態で保持保管袋に落下、保持保管される。この保持保管袋は底部を紐で緩めたり、閉めたりすることで、開閉され、保持保管された排泄糞はワンタッチの開け閉めで保持保管袋底面を解放する迄はロックされており、ロックオフクで保持保管袋から落下して、廃棄迄の全てが終了する。
【００１９】
また地面上に排泄された場合については、前記空中採取とは方法が異なり、排泄された糞の上に紙を被せて、器具の全扉を解放し、横にしてその上に置き、上扉のみを閉めれば採取は終了する。採取された糞は器具を正常位に戻す事で保持保管袋に保持保管され、ロックオフで保持保管袋から落下して採取処理が終了する。
【００２０】
上述した使用方法に示すように、本発明は外出中のペットの糞の処理を可能な限り簡単に、空中採取、地上採取、天候にも左右されず、廃棄迄の流れを、片手で簡単に行われることを実現したものであり、以下に実施例に基づき詳細に説明する。
【実施例】
【００２１】
図１に糞が地面に落ちる前に採取（正位）する使用形態を示す。器具の中核となる基台５には手中に納まるサイズの取手６と、中蓋2固定用の型枠１２は一体であり、型枠１２の内側に縦長に左右一対に中扉２が設けられ、型枠１２の外側には筒状の保持保管袋１が上部開口で固定され、保持保管袋１の下部は絞り紐１８で絞られて袋状になっており、基台５の外上には上扉３が、中扉２を挟んで外下には下扉４がヒンジにより設けられている。型枠１２は排泄時の股間下に挿入出来るサイズで、中扉２の開閉は中扉2の一部に付帯の中扉引紐13が取手元に迄延長され、中扉引紐13を引きやすくする為の中扉引紐球体14を取手を持った手指で基台５の一部に設置されたガイド９に沿って前後にスライドさせることで中扉２は開閉をするが、その操作は中扉引紐球体１４をガイド９に沿って取手の手元まで引き、ガイドから下に下げる事で閉鎖固定される。中扉２を閉鎖状態でロックする事により常時排泄体制であるが、逆に解除する事は中扉引紐球体１４を同じ手指でガイド上に戻すことで中扉２は解放され、排泄後の糞は保持保管に投入される。
【００２２】
その為一度の中蓋の開閉で保持保管袋１には何度の排泄でも最終処理に至るまでは常に袋状態を維持する。採取に至っては上扉摘まみ７に指を掛け、上扉３を開いて中扉２を露出させ、この状態で中扉２の上に紙を置き、その紙の上に排泄する。排泄された糞は、中扉２の上にしばらく留め置き、排泄終了後、中扉引紐球体１４をガイド９から上に引き上げる事で中扉２を解放し、瞬時に保持保管袋１に糞を落下させ保持保管する。保持保管が確認されたら中扉引紐球体１４を再びガイド９から下に外すことで中扉引紐球体１４は固定され、中扉２は元に戻り、定位置にロックされる。複数回の排泄もある為、この状態で散歩が継続される。
【００２３】
未使用時、移動においては、図２で示すように折り畳み、取手６を上部に持つか、または器具をショルダーに掛ける事で、移動時は上扉３も、下扉４、も殆ど自然に垂直に垂れ下がり、上扉３と、下扉４との中間に位置する保持保管袋１も、縮小され、挟まれた状態で保持される。器具の方向を変える事で、図１、図２、の形態が繰り返される。
【００２４】
空中採取においては上扉３が不要であり、上扉３を省略した側面図３（ａ〜ｄ）で、採取から廃棄までの流れを示す。型枠１２の内側に設置された中扉２の上に紙１６を乗せ（ａ）、紙１６の上に排泄糞１７が終了した時点（ｂ）で、器具を股間から外して中扉２のロックを解除し（ｃ）、中扉２を解放する。排泄した糞１７を保持保管袋１に落下させ、後に中扉２を再びロックに戻して排泄糞１７を保管する。散歩終了後、保持保管袋１の底部絞り紐１８を緩め、保持保管袋１を解放して排泄糞１７を廃棄（ｄ）して一連の作業を終了する。
【００２５】
地上にされた排泄糞の採取に付いては、図４に示す通り空中採取とは異なり、側面採取となり、上扉３、中扉２、下扉４全ての扉を解放して、器具の開口を横にする。保持保管袋１は上扉３、下扉４と共に横になり、一対の中扉２の片方は垂れ下がり、もう一方の中扉２は保持保管袋１の方向へ横たわる。この体勢（図４）で地上にされた排泄糞の上に紙１６を被せ、被せた紙の上に横体制の器具を乗せ、図５（ａ）地面２０に排泄された糞１７の採取を行う。地面に排泄された糞の上に全ての扉を開けた状態，図５（ａ）での上扉３を徐々に閉じて行く事で、排泄糞１７は紙１６に包まれながら上扉３に押し込まれる様に横移動し（ｂ）、上扉３をそのまま閉じる事により、糞１７は紙１６と共に保持保管袋１に挿入される（ｃ）。上扉３が閉じられた時点で糞１７の採取は終了し、器具を側位から正位に反転させる事で保持保管袋１の下方に通常に保持保管されて採取は終了する。
【００２６】
次に、中扉２を開閉するための中扉引紐１３、中扉引紐球体１４の機構について上扉を省略した図６を使って説明する。前述した排泄糞１７の一時留め置き目的の左右一対の中扉２の起点は型枠１２の一部に設置されたヒンジ１５にあり、その中扉の開閉動作は左右それぞれに付帯された引紐１３の動きと連動しており、引き紐１３は、基台５の両端に設けた孔１０を通り抜け、引き付け易くする為の球体１４で一体化されている。球体１４は基台５と一体である取手６の延長線上に設置された中扉引紐球体スライド用ガイド９に沿って手前に引かれ、ガイド９から球体１４を下に下げる事で中扉２は閉鎖位置で固定される。逆に球体１４を上に上げることで中扉２は解放される。この操作は器具を持った手の指でスライドし、繰り返しの動作が可能である。
【００２７】
また下扉４と保持保管袋１について図７（ａ）（ｂ）を使って説明すると、下扉４は保持保管袋１の開閉と緊張をさせるために基台５にヒンジ８により設置されている。保持保管袋１は開口から底部まで筒状（ｂ）になっているが、上部開口は型枠１２に固定されており、底部には底部を開閉するための絞り紐１８が挿通されている。下扉４の下部には絞り紐１８を通す為の小穴１１があり、保持保管袋１の底部を開閉する絞り紐１８は下扉４の内側から外側に通し、上部にある末端の球体２１まで引き上げ、球体掛け具１９に掛ける。ここでは緊張された紐の効果により、保持保管袋１は下扉４の内側で絞られ、袋状（ａ）となり緊張した状態でロックされる。
【００２８】
逆に、絞り紐１８の末端の球体２１を指で外すことで、ロックオフされ、絞り紐１８が緩み、保持保管袋１の底部は解放され、糞を袋の外部へ放出する最終廃棄工程となり、全ての処理、廃棄が終了する。
【００２９】
以上、本発明の実施例について説明をしてきたが、本発明は実施例の形態に限定されるものではなく、本発明の精神を逸脱しない変形修正は、本発明の範疇に含まれる。具体的には、各扉の形状、及び機構、保持保管袋１の緊張及び開閉、これらの形状、機構は本発明の範疇に含まれる。
【産業上の利用可能性】
【００３０】
本発明は、空中採取と地上採取が器具の向きを変える事で出来、平紙をそのまま使用できる事も特徴とし、ペットの大小に関係なく使うことができる優れたペット用携帯トイレを社会に提供する。
そのことは、天候にも左右されず、糞の排泄から採取、保管、廃棄の動作が一方通行の流れで簡単に終了するなど、全ての面倒が解消されるものであり、背景技術でも述べたネガティブを、ポジティブに変えることを引き起こし、社会から糞による公害を減少させる一助となることを期待し、また確信するものである。
【符号の説明】
【００３１】
１    保持保管袋
２    中扉
３    上扉
４    下扉
５    基台
６    取手
７    上扉摘まみ
８    ヒンジ
９    ガイドレール
１０  中扉引紐貫通孔
１１  小穴
１２  型枠
１３  中扉引紐
１４  中扉引紐球体
１５  中扉ヒンジ
１６  紙
１７  排泄糞
１８  絞り紐
１９  球体掛け具
２０  地面
２１  末端球体
【図１】
2014161303.tif 000003
【図２】
2014161303.tif 000004
【図３】
2014161303.tif 000005
【図４】
2014161303.tif 000006
【図５】
2014161303.tif 000007
【図６】
2014161303.tif 000008
【図７】
2014161303.tif 000009